(57)【要約】【課題】脱落し難い支持用鉤体の提供。【解決手段】  物品を直接支持したり、或いは物品を載置させる棚板の一部を支持する支持用鉤体において、第２の鉤頭部（第２鉤頭部）と第２の鉤首部（第２鉤首部）とを設け、前記第２鉤頭部は、第２鉤頭部の第２鉤穴に対する差し込みが、前記鉤頭部（第１鉤頭部）の前記鉤穴（第１鉤穴）に対する差し込みとの同時差し込みが不能であって、先に当該第２鉤頭部の第２鉤穴に対する差し込みが可能であり、前記第２鉤首部は、第２鉤頭部を第２鉤穴に差し込んだまま鉛直上方にスライドさせることによって前記第２鉤穴の縁が相対的に食い込むよう鉛直上方に開放された上向開放係止溝を有すると共に、当該上向開放係止溝は、第２鉤頭部が第２鉤穴に差し込まれて鉛直上方にスライドされると前記第１鉤頭部の前記第１鉤穴に対する差し込みが可能となる構成とした。【選択図】図３
2007151847.tif 000002
【特許請求の範囲】
【請求項１】
鉛直状態におかれた板状部分を貫通させた鉤穴に指し抜き自在に差し込まれる鉤頭部と、前記鉤頭部を差し込んだまま鉛直下方にスライドさせることによって前記鉤穴の縁が相対的に食い込む鉛直下方に開放された下向開放係止溝を有する鉤首部とを備えた鉤体であって、前記鉤自体若しくは前記鉤自体に設けた延在部にて、物品を直接支持したり、或いは物品を載置させる棚板の一部を支持する支持用鉤体において、
第２の鉤頭部（第２鉤頭部）と第２の鉤首部（第２鉤首部）とを設け、
前記第２鉤頭部は、第２鉤頭部の第２鉤穴に対する差し込みが、前記鉤頭部（第１鉤頭部）の前記鉤穴（第１鉤穴）に対する差し込みとの同時差し込みが不能であって、先に当該第２鉤頭部の第２鉤穴に対する差し込みが可能であり、
前記第２鉤首部は、第２鉤頭部を第２鉤穴に差し込んだまま鉛直上方にスライドさせることによって前記第２鉤穴の縁が相対的に食い込むよう鉛直上方に開放された上向開放係止溝を有すると共に、
当該上向開放係止溝は、第２鉤頭部が第２鉤穴に差し込まれて鉛直上方にスライドされると前記第１鉤頭部の前記第１鉤穴に対する差し込みが可能となる構成としたことを特徴とする支持用鉤体。
【請求項２】
下向開放係止溝の溝幅は、相対的に食い込む第１鉤穴の縁の板厚に相応する幅であることを特徴とする請求項１に記載の支持用鉤体。
【請求項３】
上向開放係止溝の溝幅は、少なくとも、指し抜き方向の「鉤穴の縁の板厚に相応する幅＋鉤頭部の長さ＋鉤穴の縁の板厚」の和に相応する幅であることを特徴とする請求項１又は請求項２に記載の支持用鉤体。
【請求項４】
第１鉤穴と当該第１鉤穴に対応する第１鉤頭部との組を複数組備えたことを特徴とする請求項１乃至請求項３の何れかに記載の支持用鉤体。
【請求項５】
第２鉤穴と当該第２鉤穴に対応する第２鉤頭部との組を複数組備えたことを特徴とする請求項１乃至請求項４の何れかに記載の支持用鉤体。
【請求項６】
複数組は鉛直方向に設けられたことを特徴とする請求項４又は請求項５に記載の支持用鉤体。
【請求項７】
第２鉤穴と当該第２鉤穴に対応する第２鉤頭部との組は、第１鉤穴と当該第１鉤穴に対応する第１鉤頭部との組の鉛直下方に設けられたことを特徴とする請求項１乃至請求項６の何れかに記載の支持用鉤体。
【請求項８】
第２鉤穴と当該第２鉤穴に対応する第２鉤頭部との組は、第１鉤穴と当該第１鉤穴に対応する第１鉤頭部との組の鉛直上方に別体に設けられたことを特徴とする請求項１乃至請求項６の何れかに記載の支持用鉤体。
【請求項９】
一つの鉤穴に対して抜き差しされる一つの突状片の上辺側に第２鉤頭部を設けると共に下辺側に第１鉤頭部を併設したことを特徴とする請求項１乃至請求項６の何れかに記載の支持用鉤体。
【請求項１０】
第２鉤頭部と第１鉤頭部とが併設された突片の鉛直下方側に、別の鉤穴と当該別の鉤穴に対する第１鉤頭部との組を別体に設けたことを特徴とする請求項９に記載の支持用鉤体。
【請求項１１】
鉛直方向に等間隔に配設された多数の鉤穴のうち、少なくとも２つの鉤穴に対して抜き差し可能であることを特徴とする請求項１乃至請求項１０の何れかに記載の支持用鉤体。
【発明の詳細な説明】
【技術分野】
【０００１】
本発明は、物品を直接支持したり、或いは物品を載置させる棚板の一部を支持する支持用鉤体に関するものである。
【背景技術】
【０００２】
この種の支持用鉤体は、一般にブラケットとも称され、ショーウインドウ内の棚や店内壁面の棚、或いは商品陳列棚の棚を支持するために着脱自在に用いられるもので、予め鉛直方向に等間隔に設けられた多数の鉤穴のうち、任意の（高さ位置）の鉤穴に対して抜き差し自在に用いられるものである。
【発明の開示】
【発明が解決しようとする課題】
【０００３】
従来の支持用鉤体は、鉛直状態におかれた支柱の側面の板状部分を貫通させた鉤穴に対して、水平方向から指し抜き自在に差し込まれる鉤頭部と、前記鉤頭部を水平に奥まで差し込んだまま全体を鉛直下方にスライドさせることによって前記鉤穴の縁が相対的に食い込むよう、鉛直下方に開放された下向開放係止溝を有する鉤首部とを備えた鉤である。
【０００４】
この支持用鉤体は、一般的には、この鉤自体の形状によっては上辺、若しくはこの鉤自体から棚の下面側を支持する腕のように延び出されたけた延在部の上に、棚が載置されるため、鉤自体の上辺に棚が載せられる場合には棚の四隅に各々１個づつ配置される４個一組として、又、鉤自体の延在部に棚が載せられる場合には、少なくとも、棚の両端側に配置された各々の支柱毎に各々１個づつ配置される２個一組として用いられる。
又、この支持用鉤体は、商品等の展示物を直接当該鉤体の上辺や延在部に掛ける場合には、組としてではなく、１個毎個別に用いられる。
【０００５】
鉤体の係止状態は、何れの場合にも、鉤体が、鉤穴に水平に差し込んだ状態から、鉤全体をそのままの状態で、鉛直下方にスライド即ち引き下げられることで、鉤穴の縁が相対的に食い込むように、鉛直下方に開放された下向開放係止溝を鉤体側に設けた所謂掛け落し係合であるから、鉤穴の縁と下向開放係止溝が鉛直上下方向で噛み合うため、水平方向への引き抜きは不能とはなるものの、当該鉤体が何らかの外力により鉛直上方に引き上げられると、比較的簡単に外れ、脱落してしまう。
【０００６】
従来でも、下の棚板を取り外して取り付け位置を変える作業をしたり、下の棚板上の商品や物品を取り扱ってる際に、作業者の体の一部等が上の棚の支持用鉤体に触れて脱落させたり、脱落直前状態にさせてしまう等の不都合があった。
本発明は、かかる不都合の解消を目的として、容易には脱落し難い支持用鉤体の提供を目的とするものである。
【課題を解決するための手段】
【０００７】
請求項１の発明は、鉛直状態におかれた板状部分を貫通させた鉤穴に指し抜き自在に差し込まれる鉤頭部と、前記鉤頭部を差し込んだまま鉛直下方にスライドさせることによって前記鉤穴の縁が相対的に食い込む鉛直下方に開放された下向開放係止溝を有する鉤首部とを備えた鉤体であって、前記鉤自体若しくは前記鉤自体に設けた延在部にて、物品を直接支持したり、或いは物品を載置させる棚板の一部を支持する支持用鉤体において、
第２の鉤頭部（第２鉤頭部）と第２の鉤首部（第２鉤首部）とを設け、
前記第２鉤頭部は、第２鉤頭部の第２鉤穴に対する差し込みが、前記鉤頭部（第１鉤頭部）の前記鉤穴（第１鉤穴）に対する差し込みとの同時差し込みが不能であって、先に当該第２鉤頭部の第２鉤穴に対する差し込みが可能であり、
前記第２鉤首部は、第２鉤頭部を第２鉤穴に差し込んだまま鉛直上方にスライドさせることによって前記第２鉤穴の縁が相対的に食い込むよう鉛直上方に開放された上向開放係止溝を有すると共に、
当該上向開放係止溝は、第２鉤頭部が第２鉤穴に差し込まれて鉛直上方にスライドされると前記第１鉤頭部の前記第１鉤穴に対する差し込みが可能となる構成としたことを特徴とする。
【０００８】
請求項２の発明は、請求項１に記載の支持用鉤体において、下向開放係止溝の溝幅は、相対的に食い込む第１鉤穴の縁の板厚に相応する幅であることを特徴とする。
【０００９】
請求項３の発明は、請求項１又は請求項２に記載の支持用鉤体において、上向開放係止溝の溝幅は、少なくとも、指し抜き方向の「鉤穴の縁の板厚に相応する幅＋鉤頭部の長さ＋鉤穴の縁の板厚」の和に相応する幅であることを特徴とする。
【００１０】
請求項４の発明は、請求項１乃至請求項３の何れかに記載の支持用鉤体において、第１鉤穴と当該第１鉤穴に対応する第１鉤頭部との組を複数組備えたことを特徴とする。
【００１１】
請求項５の発明は、請求項１乃至請求項４の何れかに記載の支持用鉤体において、第２鉤穴と当該第２鉤穴に対応する第２鉤頭部との組を複数組備えたことを特徴とする。
【００１２】
請求項６の発明は、請求項４又は請求項５に記載の支持用鉤体において、複数組は鉛直方向に設けられたことを特徴とする。
【００１３】
請求項７の発明は、請求項１乃至請求項６の何れかに記載の支持用鉤体において、第２鉤穴と当該第２鉤穴に対応する第２鉤頭部との組は、第１鉤穴と当該第１鉤穴に対応する第１鉤頭部との組の鉛直下方に設けられたことを特徴とする。
【００１４】
請求項８の発明は、請求項１乃至請求項６の何れかに記載の支持用鉤体において、第２鉤穴と当該第２鉤穴に対応する第２鉤頭部との組は、第１鉤穴と当該第１鉤穴に対応する第１鉤頭部との組の鉛直上方に別体に設けられたことを特徴とする。
【００１５】
請求項９の発明は、請求項１乃至請求項６の何れかに記載の支持用鉤体において、一つの鉤穴に対して抜き差しされる一つの突状片の上辺側に第２鉤頭部を設けると共に下辺側に第１鉤頭部を併設したことを特徴とする。
【００１６】
請求項１０の発明は、請求項９に記載の支持用鉤体において、第２鉤頭部と第１鉤頭部とが併設された突片の鉛直下方側に、別の鉤穴と当該別の鉤穴に対する第１鉤頭部との組を別体に設けたことを特徴とする。
【００１７】
請求項１１の発明は、請求項１乃至請求項１０の何れかに記載の支持用鉤体において、鉛直方向に等間隔に配設された多数の鉤穴のうち、少なくとも２つの鉤穴に対して抜き差し可能であることを特徴とする。
【発明の効果】
【００１８】
請求項１乃至請求項１１の各発明によれば、何れも、鉤体に鉛直上方向きの外力が加わって鉤体が上方にスライドしても、第２鉤頭部が第２鉤穴の上縁に係止するので、水平方向へ抜ける脱落が不能となる。
【００１９】
請求項２や請求項３の各発明によれば、何れも、係合状態において水平方向の遊びが生じないので、より確実に係止状態を維持させることができる。
【００２０】
請求項４や請求項５の各発明によれば、何れも、鉤穴と鉤体との係止部分が2ヶ所以上となるので、脱落の可能性を低減させることができる。
【００２１】
請求項６や請求項７の各発明によれば、何れも、鉤穴と鉤体との組による係止部分が鉛直方向に2ヶ所以上となるので、より脱落の可能性を低減させることができる。
【００２２】
請求項６や請求項７の各発明によれば、何れも、鉤穴と鉤体との組による係止部分が鉛直方向に2ヶ所以上となるので、より脱落の可能性を低減させることができる。
【００２３】
請求項８乃至請求項１０の各発明によれば、何れも、第２鉤体が鉛直方向の最上位に位置するので、請求項６や請求項７の発明に比べて、より脱落の可能性を低減させることができる。
【００２４】
請求項１１の発明によれば、従来と同様に、鉛直方向に設けられた多数の鉤穴のうち、任意の高さ位置に支持用鉤体を自由に係止させることができる。
【発明を実施するための最良の形態】
【００２５】
本発明の最良の形態を示す支持用鉤体の一例を実施例１、今一つを実施例2として以下説明する。
【実施例１】
【００２６】
実施例1の支持用鉤体は、特許請求の範囲でいう第２鉤穴と当該第２鉤穴に対応する第２鉤頭部との１組が形成された新型の突状片（以下、新型突状片ともいう）が、第１鉤穴と当該第１鉤穴に対応する第１鉤頭部との１組が形成された旧型の突状片（以下、旧型突状片ともいう）を上下２段に設けた位置の鉛直下方に設けられた構成、即ち、1つの新型突状片と２つの旧型突状片との３つの突状片を有する構成としたものであり、図１は係止状態を示す斜視図、図２は差し込み係止状態を示す断面説明図、図３は支持用鉤体の側面図、図４は鉤穴への差し込みから係止状態に到るまでの説明図である。  
【００２７】
図1及び図２において、図中の符号１０は鉛直状態に設置される支柱であり、この支柱１０の板状部分には当該板状部分を水平方向に貫通する鉤穴１１が鉛直方向に等間隔にて多数列設されている。
【００２８】
図１乃至図３において、２０は支持用鉤体であり、この支持用鉤体２０は、鉤穴１１に指し抜き自在に差し込まれる鉤頭部２１（以下、第１の鉤頭部或いは第１鉤頭部ともいう）と、この鉤頭部２１を差し込んだまま支持用鉤体２０を鉛直下方に引き下げるようスライドさせることによって、鉤１１の縁が相対的に食い込むよう鉛直下方向きに開放された下向開放係止溝２２を有する鉤首部２３（以下、第１の鉤首部或いは第１首主部ともいう）との組を備えた突状片２４（旧型突状片ともいう）を上下２段に備えている。
【００２９】
更に、図示の支持用鉤体２０は、その鉤自体の上辺部２５を用て、例えば物品を載置させる棚板の一部を支持させたり（図示せず）、或いは当該上辺部２５を水平方向に延在させて設けた延在部２６にて、棚板の一部を支持させたり、或いは直接に物品を支持させたりする（図示せず）。図１及び図３において破線で示す部分が延在部である。
例えば、一枚の棚板（図示せず）を水平に維持する場合、図１や図３に示す延在部２６を備えていない支持用鉤体２０ならば、当該支持用鉤体２０を棚板の４隅の下面側を各々下支えするように４個の配設が必要であり、図１や図３に示す延在部２６を備えた支持用鉤体２０ならば、棚板の両端の下面側を各々下支えするように２個配設する必要がある。
【００３０】
尚、上記した第１鉤頭部２１と第１鉤首部２３との組を備えた旧型突状片２４は、文字通り、本願出願前からこの種の支持用鉤体に用いられてきたものであって、旧型突状片２４を図示のように２段に備えた支持用鉤体も用いられていた。
【００３１】
実施例１の支持用鉤体２０は、上記のような旧型突状片２４を２段に備えた鉤体に、更に、新規な第２の鉤頭部３１（以下、第２鉤頭部ともいう）と第２の鉤首部（第２鉤首部）３３とを備えた第３の突状片３５（以下、新型突状片ともいう）設けた構成としたものである。
【００３２】
新型突状片３５の第２鉤頭部３１は、この第２鉤頭部３１が差し込まれる相応の鉤穴１１（以下、第２鉤穴ともいう）に対する水平方向への差し込みが、第１鉤頭部２１，２１が相応する第１鉤穴１１、１１に対する差し込みとの同時差し込みが不能であって、先に当該第２鉤頭部３１の第２鉤穴１１に対する水平差し込みが可能である形状とする。
【００３３】
このため、図４の図示（１）と図示（２）とに示すように、この実施例１では、第２鉤頭部３１が相応する第２鉤穴１１に対して、水平方向への差し込み（図において左方向＝図の矢印方向）が可能な差し込み直前状態のとき（図示（１））、第１鉤頭部２１，２１は、相応する第１鉤穴１１、１１に達しない長さとしてあり、しかも、第１鉤穴１１、１１対して水平方向へそのまま差し込もうとしても、第１鉤穴１１、１１に対する第１鉤頭部２１，２１の位置（高さ位置）が不一致となって、第１鉤穴１１，１１の縁（下縁）に第１鉤頭部２１，２１が衝突して、差し込みが不能となる形状（図示（２））として、第１鉤頭部２１，２１よりも先に、第２鉤頭部３１の第２鉤穴１１に対する差し込みを可能としている。
【００３４】
第２鉤頭部３１が第２鉤穴１１に水平に差し込まれて貫通した貫通直後状態においては（図示（２））、第１鉤穴１１、１１の下縁に第１鉤頭部２１，２１が衝突して、差し込み不能状態ではあるが、第２鉤首部３３には、第２鉤頭部３１を第２鉤穴１１に差し込んだまま鉛直上方にスライドさせると、第２鉤穴１１の縁（上縁）が相対的に食い込むよう鉛直上方に向けて開放された上向開放係止溝３２が設けてある。
【００３５】
しかも、この上向開放係止溝３２は、第２鉤頭部３１が第２鉤穴１１に差し込まれて鉛直上方にスライドされると（図示（３））、第１鉤頭部２１、２１の第１鉤穴１１、１１に対する差し込みが可能となる切り込み深さを有し、この上方スライドによって第１鉤頭部２１、２１が第１鉤穴１１、１１に一致して差し込みが可能な高さ位置となるように構成されている。
【００３６】
こうした上方スライド状態において（図示（３））、更に差し込むと（図示（４））、第１鉤頭部２１、２１が第１鉤穴１１、１１に水平に差し込まれて貫通した貫通直後状態となり、かかる貫通直後状態において、鉛直下方にスライドさせると（図示（５））、下向開放係止溝２２、２２に第１鉤穴１１、１１の縁（下縁）が相対的に食い込んで、水平方向への引き抜きが不能となって係止する。
【００３７】
この場合、下向開放係止溝２２、２２の溝幅（水平方向）は、相対的に食い込む第１鉤穴１１、１１の縁の板厚に相応する幅、即ち、鉤穴１１、１１の縁の厚さにほぼ一致する長さとしておくことによって、差し抜き方向（水平方向）に緩み無く、係止させることができる。
又、この場合、上向開放係止溝３２の溝幅（水平方向）は、少なくとも「鉤穴１１の縁の板厚（下向開放係止溝２２の溝幅）＋第１鉤頭部２１の水平方向の長さ＋鉤穴１１の縁の板厚（下向開放係止溝２２の溝幅）」の和に相応する幅が必要となる。
【００３８】
この実施例1の支持用鉤体２０によれば、図４の図示（５）に示すように、正常な係止状態のときに、無用の外力が加わって鉛直上方に鉤体がスライドされても、図４の図示（４）に示すように、引き抜き方向では、第２鉤頭部３１が鉤穴１１の上縁に係止するため、引抜は不能となり、鉤体の脱落を阻止することができる。
因みに、従来の支持用鉤体では、第２鉤頭部３１及び第２鉤首部３３を備えた新型突状片３５を備えていなかったため、鉤体が鉛直上方にスライドされると、図４の図示（４）から容易に想像できるように、指し抜き方向にフリーとなって容易に脱落してしまう不都合を生じていたのである。
【００３９】
又、この実施例1の支持用鉤体２０によれば、第１鉤穴１１、１１と当該第１鉤穴１１，１１に対応する第１鉤頭部２１，２１との２組、即ち、旧型突状片２４，２４を上下に２組（複数）備えた構成としてあるため、当該組、即ち、当該旧型突状片２４が１組の場合に較べると、係止状態の確実性をより高めることができ、この傾向は組数が多くなるほど確実性が高まる。
【００４０】
又、この実施例1の支持用鉤体２０によれば、第２鉤穴１１と当該第２鉤穴１１に対応する第２鉤頭部３１との組、即ち、新型突状片３５を１組備えた構成としているが、当該組を複数組設けた構成にすると（図示せず）、脱落防止の確実性をより一層高めることができる。
【００４１】
又、この実施例1の支持用鉤体２０によれば、旧型突状片２４と新型突状片３５、或いは新旧型各々の突状片（２４，３５）の複数組は、何れも、鉛直方向に一列に列設されているが、必ずしも一列に限らず、鉛直方向であれば複数組を並列に列設してもよい（図示せず）。勿論、この場合鉤穴も並列に設けることになる（図示せず）。
【００４２】
又、この実施例1の支持用鉤体２０によれば、第２鉤穴１１と当該第２鉤穴１１に対応する第２鉤頭部３１との組、即ち、新型突状片３５は、第１鉤穴１１と当該第１鉤穴１１に対応する第１鉤頭部２１との組、即ち、旧型突状片２４の鉛直方向の下方位に設けられているが、これに限らず、上方位に設けてもよい。
【実施例２】
【００４３】
実施例２は、第２鉤穴１１と当該第２鉤穴１１に対応する第２鉤頭部３１との組、即ち、新型突状片３５を、第１鉤穴１１と当該第１鉤穴１１に対応する第１鉤頭部２１との組、即ち、旧型突状片２４の鉛直方向の上方位に設けた構成としたものであって、上記実施例１のように、新型突状片３５を旧型突状片２４と別体に設けず、一つの鉤穴１１に対して抜き差しされる一つの突状片の上辺側に第２鉤頭部を設けると共に下辺側に第１鉤頭部や第１鉤首部を併設した構成としたもので、更に、この新旧型が併設された突状片（新旧型並設突状片）の下方位置に更に別の旧型突状片２４を配設した構成としたものである。
以下、これを図５に基づいて説明する。図５は鉤穴への差し込みから係止状態に到るまでの説明図である。
【００４４】
図５において、図示（１）と図示（２）とに示すように、この実施例２では、第２鉤頭部３１０が相応する第２鉤穴１１に対して、水平方向への差し込み（図において左方向＝図の矢印方向）が可能な差し込み直前状態のとき（図示（１））、新旧型並設突状片３５０と旧型突状片２４０の何れの第１鉤頭部２１０，２１０も、各々相応する鉤穴１１，１１に達しない長さであり、しかも、各々相応する鉤穴１１対して水平方向へそのまま差し込もうとしても、各々の鉤穴１１，１１に対応する各々の第１鉤頭部２１０，２１０の位置（高さ位置）が不一致のため、何れも、鉤穴１１、１１の縁（下縁）に第１鉤頭部２１０，２１０が衝突して、差し込みが不能となる形状（図示（２））としてあり、これら第１鉤頭部２１０，２１０よりも先に、第２鉤頭部３１０が第２鉤穴１１に対して差し込み可能に構成されている。
尚、ここでいう第２鉤穴１１は新旧型並設突状片３５０の下辺側に設けられた第１鉤頭部２１０が指し抜きされる鉤穴１１と同一である。
【００４５】
第２鉤頭部３１０が第２鉤穴１１に水平に差し込まれて貫通した貫通直後状態においては（図示（２））、各鉤穴１１，１１の下縁に第１鉤頭部２１０，２１０が衝突して、差し込み不能状態ではあるが、第２鉤首部３３０には、第２鉤頭部３１０を鉤穴１１（第２鉤穴１１）に差し込んだまま鉛直上方にスライドさせると、当該第２鉤穴１１の縁（上縁）が相対的に食い込むよう鉛直上方に向けて開放された上向開放係止溝３２０が設けてある。
【００４６】
しかも、この上向開放係止溝３２０は、第２鉤頭部３１０が第２鉤穴１１に差し込まれて鉛直上方にスライドされると（図示（３））、各第１鉤頭部２１０，２１０の鉤穴１１、１１に対する差し込みが可能となる切り込み深さを有し、この上方スライドによって上下の第１鉤頭部２１０，２１０が対応する鉤穴１１、１１に一致して差し込みが可能な高さ位置となるように構成されている。
【００４７】
こうした上方スライド状態において（図示（３））、更に差し込むと（図示（４））、各第１鉤頭部２１０、２１０、が各々の鉤穴１１，１１に水平に差し込まれて貫通した貫通直後状態となり、かかる貫通直後状態において、鉛直下方にスライドさせると（図示（５））、各々の下向開放係止溝２２０，２２０に各々の鉤穴１１、１１の縁（下縁）が相対的に食い込んで、水平方向への引き抜きが不能となって係止する。
【００４８】
この場合、下向開放係止溝２２０，２２０の溝幅（水平方向）は、相対的に食い込む鉤穴１１、１１の縁の板厚に相応する幅、即ち、鉤穴１１の縁の厚さにほぼ一致する長さとしておくことによって、差し抜き方向（水平方向）に緩み無く、係止させることができる。
又、この場合、上向開放係止溝３２０の溝幅（水平方向）は、少なくとも「鉤穴１１の縁の板厚（下向開放係止溝２２０の溝幅）＋第１鉤頭部２１０の水平方向の長さ＋鉤穴１１の縁の板厚（下向開放係止溝２２の溝幅）」の和に相応する幅が必要である。
【００４９】
上記のように、第２鉤頭部３１０と第１鉤頭部２１０とが併設された突状片（新旧型並設突状片）３５０の鉛直下方側に、別の鉤穴１１と当該別の鉤穴１１に対する第１鉤頭部２１０との組、即ち、旧型突状片２４０を別体に設けた構成とした実施例２の支持用鉤体２００によれば、図５の図示（５）の状態で係止しているときに、無用の外力が加わって鉛直上方に鉤体がスライドされても、図５の図示（４）に示すように、引き抜き方向では、第２鉤頭部３１０が鉤穴１１の上縁に係止するため、引抜が不能となって、鉤体の脱落を阻止することができる。
【００５０】
又、この実施例２の支持用鉤体２００によれば、鉤穴１１と当該鉤穴１１に対応する第１鉤頭部２１０との組が上下に２組（複数）備えた構成としてあるため、当該組が１組の場合に較べると、係止状態の確実性をより高めることができる。この傾向は組数が多くなるほど確実性が高まる。
【００５１】
又、この実施例２の支持用鉤体２００によれば、第２鉤穴１１と当該第２鉤穴１１に対応する第２鉤頭部３１０との組を１組備えた構成としているが、当該組を複数組設けた構成にすると（図示せず）、脱落防止の確実性をより一層高めることができる。
【００５２】
また、この実施例２の支持用鉤体２００は、旧型突状片と新型突状片とを並設した新旧併設型突状片３５０の下方に、旧型突状片２４０を設けた構成であるが、何れの構成も、鉛直方向に一列に列設する必要はなく、鉛直方向であれば複数組を並列に列設してもよい。勿論、この場合鉤穴１１も並列に設けることになる（図示せず）。
【００５３】
上記の実施例１及び２の何れにおいても、支柱１０には、その鉛直方向に等間隔に多数の鉤穴１１が配設されているが、このうち、少なくとも２つの鉤穴１１に対して同時的に抜き差し可能となる配列であることが好ましいが、支持用鉤体２０，２００に設けられた突状片２４，３５，３５０の数に応じた鉤穴１１のみが配列されていてもよい。
【産業上の利用可能性】
【００５４】
本発明の支持用鉤体は、ショーウインドウ内の棚や店内壁面の棚、或いは商品陳列棚の棚を支持するため用いるために限らず、広く一般に、着脱自在なブラケットとしても適用することができる。
【図面の簡単な説明】
【００５５】
【図１】実施例１の係止状態を示す斜視図である。
【図２】実施例１の差し込み係止状態を示す断面説明図である。
【図３】実施例１の支持用鉤体の側面図である。
【図４】実施例１の鉤穴への差し込みから係止状態に到るまでの説明図である。
【図５】実施例２の鉤穴への差し込みから係止状態に到るまでの説明図である。
【符号の説明】
【００５６】
１０    支柱
１１    鉤穴
２０，２００  支持用鉤体
２１，２１０，３１０    鉤頭部
２２，２２０、    下向開放係止溝
２３，２３０，    鉤首部
２４，２４０    旧型突状片
３１，３１０    第２鉤頭部
３２，３２０    下向開放係止溝
３３，３３０    第２鉤首部
３５，３５０    新型突状片
【図１】
2007151847.tif 000003
【図２】
2007151847.tif 000004
【図３】
2007151847.tif 000005
【図４】
2007151847.tif 000006
【図５】
2007151847.tif 000007